(57)【特許請求の範囲】
【請求項１】
筐体の正面側を構成するフロントケースと、このフロントケースと一体的に嵌合し筐体の背面側を構成するリアカバーと、このフロントケース及びリアカバー間に配設，挟持される印刷配線基板と、この印刷配線基板上に配設されるシールドカバーと、前記リアカバーの表面に着脱可能に取り付けられるバッテリと、を備え、
前記フロントケースが前記シールドカバーに固定されるとともに、前記リアカバーが前記シールドカバーに固定されることにより、前記フロントケースとリアカバーとが、前記シールドカバーを介して脱落不能に締結されることを特徴とする筐体嵌合構造。
【請求項２】
前記フロントケース内のキー配設部にキーを備えるとともに、
前記シールドカバーが、前記キー配設部の外において、前記フロントケースとリアカバーを脱落不能に締結する請求項１記載の筐体嵌合構造。
【請求項３】
前記シールドカバーに、ねじ止め部を備えるとともに、
前記フロントケースに、前記ねじ止め部に取り付けられるねじが螺合するねじ締めボスを備えた請求項１又は２記載の筐体嵌合構造。
【請求項４】
前記ねじ締めボスが、前記フロントケースのキー配設部の外に配設された請求項３記載の筐体嵌合構造。
【請求項５】
前記シールドカバーに、前記リアカバーに対し脱落不能に嵌合する嵌合爪を備えた請求項１，２，３又は４記載の筐体嵌合構造。
【請求項６】
前記リアカバーに、前記嵌合爪が嵌合しつつリアカバー外部に突出する嵌合孔を備えるとともに、
当該リアカバーに着脱可能に取り付けられる前記バッテリに、前記嵌合孔から突出する嵌合爪と当接する突起部を備えた請求項５記載の筐体嵌合構造。
【請求項７】
前記嵌合爪が、復帰弾性力をもって嵌脱自在に前記リアカバーに嵌合する請求項６記載の筐体嵌合構造。
【発明の詳細な説明】
【０００１】
【発明の属する技術分野】
本発明は、携帯電話機等の携帯型通信端末等に使用される筐体の嵌合構造に関し、特に、筐体を構成するフロントケースとリアカバーを、筐体内に配設されるシールドカバーを介して脱落不能に締結することにより、ねじ等の締結手段を筐体表面に露出させることなく、筐体のキーを広く、かつ、自由なレイアウトで確保しつつ、フロントケースとリアカバーとを締結し、シールドカバーのシールド性，電気特性も向上させることができる筐体嵌合構造に関する。
【０００２】
【従来の技術】
一般に、携帯電話機等の携帯型通信端末等に使用される筐体は、端末等の正面側を構成するフロントケースと背面側を構成するリアカバーとがねじ止めされることにより一体的に嵌合する構造となっている。
図５及び図６を参照して、従来の一般的な筐体嵌合構造について説明する。
図５及び図６は、それぞれ従来の筐体嵌合構造を示す分解斜視図である。
【０００３】
これらの図に示すように、携帯電話機等の携帯型通信端末等に使用される筐体の嵌合構造は、筐体の正面側を構成するフロントケース１０１と、フロントケース１０１と一体的に嵌合し筐体の背面側を構成するリアカバー１０２と、フロントケース１０１及びリアカバー１０２の間に配設，挟持される印刷配線基板１０３と、印刷配線基板１０３上に配設されるシールドカバー１０４と、リアカバー１０２の表面に着脱可能に取り付けられるバッテリ１０５と、バッテリ１０５をカバーするバッテリカバー１０５ａを備えている。
【０００４】
フロントケース１０１は、携帯電話機等の正面側を構成するケースであり、図５及び図６に示すように、筐体の下側ほぼ半分がキー配設部１０１ａとなっており、携帯電話機等のキー操作手段の実装領域として確保されている。
リアカバー１０２は、フロントケース１０１に嵌合して携帯電話機等の背面側を構成するカバー部材で、筐体下部側にはバッテリ１０５を着脱可能に収納するバッテリ収納部１０２ａを備えている。
【０００５】
そして、フロントケース１０１とリアカバー１０２には、それぞれ、筐体ほぼ中央部にねじ締めボス１１１とねじ孔１２１が、筐体の下部にねじ締めボス１１２とねじ孔１２２が、また、筐体の上部に係合爪１１３と係合部１２３がそれぞれ設けてある。
このような構成からなる従来の筐体嵌合構造では、フロントケース１０１とリアカバー１０２は、図５及び図６に示すように、締結用の複数のねじ１０６を用いることによって、印刷配線基板３を間に挟持した状態で一体的に嵌合，締結されて所定の携帯電話機等を構成するようになっている。
このような従来の筐体嵌合構造としては、例えば、特開平１１−２９７２８８号公報に記載された「携帯無線機」等がある。
【０００６】
【発明が解決しようとする課題】
しかしながら、このような従来の筐体嵌合構造では、キー配設部の１０１ａに配設されるキーがねじ止め手段によって制限されるという問題点があった。
すなわち、従来の筐体構造では、筐体の外観を考慮して、図５に示すように、フロントケースとリアカバーを締結するねじを、リアカバーのバッテリ収納部に配置することにより、バッテリによってねじを隠すようにしていた。
ところが、このような構成では、図５に示すように、ねじ締め用のボスがすべてフロントケースのキー配設部の内に位置することとなった。
このため、キーがねじ締めボスの存在によって制限されてしまい、キーを広く確保することができないばかりでなく、レイアウトのデザインの自由度も阻害されるという問題があった。
【０００７】
この点、図６に示す構造のように、キーの確保とレイアウトの自由度を優先させてねじ止め位置をバッテリ収納部以外に配置することも可能であった。
ところが、この場合は、ねじ部がリアカバーの表面に露出することになるため、図６に示すように、ねじを隠すための蓋１０７やカバー等が別途必要となるという新たな問題が発生してしまった。
【０００８】
さらに、これら従来の筐体嵌合構造では、図５及び図６に示したように、シールドカバーは印刷配線基板への係合のみで固定される構造となっていたため、安定したシールド性及び電気特性が得られないという問題点もあった。
【０００９】
本発明は、このような従来の技術が有する問題を解決するために提案されたものであり、筐体を構成するフロントケースとリアカバーを、筐体内に配設されるシールドカバーを介して脱落不能に締結することにより、ねじ等の締結手段を筐体表面に露出させることなく、筐体に配設されるキーを広く、かつ、自由なレイアウトで確保しつつ、フロントケースとリアカバーとを堅固に締結し、シールドカバーのシールド性，電気特性も向上させることができる筐体嵌合構造の提供を目的とする。
【００１０】
上記目的を達成するため、本発明の請求項１記載の筐体嵌合構造は、筐体の正面側を構成するフロントケースと、このフロントケースと一体的に嵌合し筐体の背面側を構成するリアカバーと、このフロントケース及びリアカバー間に配設，挟持される印刷配線基板と、この印刷配線基板上に配設されるシールドカバーと、前記リアカバーの表面に着脱可能に取り付けられるバッテリと、を備え、前記フロントケースが前記シールドカバーに固定されるとともに、前記リアカバーが前記シールドカバーに固定されることにより、前記フロントケースとリアカバーとが、前記シールドカバーを介して脱落不能に締結される構成としてある。
【００１１】
特に、請求項２では、前記フロントケース内のキー配設部にキーを備えるとともに、前記シールドカバーが、前記キー配設部の外において、前記フロントケースとリアカバーを脱落不能に締結する構成としてある。
【００１２】
具体的には、請求項３記載の筐体嵌合構造は、前記シールドカバーに、ねじ止め部を備えるとともに、前記フロントケースに、前記ねじ止め部に取り付けられるねじが螺合するねじ締めボスを備えた構成としてある。
特に、請求項４では、前記ねじ締めボスが、前記フロントケースのキー配設部の外に配設された構成としてある。
【００１３】
また、請求項５記載の筐体嵌合構造は、前記シールドカバーに、前記リアカバーに対し脱落不能に嵌合する嵌合爪を備えた構成としてある。
特に、請求項６では、前記リアカバーに、前記嵌合爪が嵌合しつつリアカバー外部に突出する嵌合孔を備えるとともに、当該リアカバーに着脱可能に取り付けられる前記バッテリに、前記嵌合孔から突出する嵌合爪と当接する突起部を備えた構成としてある。
さらに、請求項７では、前記嵌合爪が、復帰弾性力をもって嵌脱自在に前記リアカバーに嵌合する構成としてある。
【００１４】
このような構成からなる本発明の筐体嵌合構造によれば、フロントケースとリアカバーをシールドカバーを介して締結することにより、ねじ締めボスを、フロントケースのキー配設部の外に設けることができる。
これにより、フロントケース内のキーを広く確保することができ、ねじ締めボスの存在によってキーレイアウトが制限されることもなく、携帯電話機等のデザインの自由度を向上させることが可能となる。
【００１５】
また、フロントケースとリアカバーを締結するシールドカバーは、リアカバー側に嵌合する嵌合爪が、バッテリの突起部が当接することによって押圧，付勢されるので、バッテリが取り付けられた状態では、弾性変形等が規制されることになる。
これにより、高い締結力をもってシールドカバーによるフロントカバーとリアカバーの締結を実現することができる。
さらに、本発明によれば、シールドカバーが印刷配線基板の板面上にねじ止め固定されるので、印刷配線基板に対し安定したシールド性及び電気特性を得ることができる。
【００１６】
【発明の実施の形態】
以下、本発明の携帯電話機の実施の形態について、図面を参照しつつ説明する。
［第一実施形態］
まず、図１及び図２を参照して本発明の携帯電話機の第一実施形態について説明する。
図１は、本発明の第一実施形態にかかる筐体嵌合構造を示す分解斜視図であり、図２は、本実施形態にかかる筐体嵌合構造のフロントケースとリアカバーの締結箇所を示す要部拡大断面図で、（ａ）はバッテリの取付け前の状態、（ｂ）は取付け後の状態を示している。
【００１７】
図１に示すように、本実施形態は、携帯電話機等の携帯型通信端末等に使用される筐体の嵌合構造であり、筐体の正面側を構成するフロントケース１と、フロントケース１と一体的に嵌合し筐体の背面側を構成するリアカバー２と、フロントケース１及びリアカバー２の間に配設，挟持される印刷配線基板３と、印刷配線基板３上に配設されるシールドカバー４、及びリアカバー２の筐体背面側表面に着脱可能に取り付けられるバッテリ５を備えている。
【００１８】
フロントケース１は、携帯電話機等の正面側を構成するケース手段であり、図１に示すように、筐体の下側ほぼ半分がキー配設部１ａとなっており、図示しない携帯電話機等のキー操作手段を実装，配設できる領域が確保されている。
リアカバー２は、フロントケース１に嵌合して携帯電話機等の背面側を構成するカバー部材で、図１に示すように、筐体下部側にはバッテリ５が着脱可能に収納されるバッテリ収納部２ａを備えている。
なお、図１に示すように、本実施形態では、リアカバー２に取り付けられるバッテリ５を、バッテリ収納部２ａに収納されるバッテリ本体５ａと、リアカバー２の表面に一体化してバッテリ収納部２ａを覆うカバー５ｂを別々に構成してある。
【００１９】
そして、フロントケース１とリアカバー２は、印刷配線基板３を間に挟持した状態で一体的に嵌合，締結できるよう、それぞれ対応する位置に締結手段が設けてある。
具体的には、図１に示すように、筐体のほぼ中央部にねじ締めボス１１と嵌合孔２１が、筐体の下部側にねじ締めボス１２とねじ孔２２が、さらに、筐体の上部側に係合爪１３と係合部２３がそれぞれ設けてある。
なお、フロントケース１とリアカバー２の間に配設される印刷配線基板３には、図１に示すように、フロントケース１のねじ締めボス１１，１２に対応する位置にそれぞれねじ孔３１，３２が形成してある。
【００２０】
筐体ほぼ中央部に配設されるねじ締めボス１１及び嵌合孔２１は、後述するように、印刷配線基板３上に配設されるシールドカバー４と締結，嵌合するようになっている。
ここで、フロントケース１のねじ締めボス１１は、図１に示すように、キー配設部１ａの範囲外の、筐体中央よりやや上部側に設けられている。
上述のように、フロントケース１は、携帯電話機等の筐体の正面側を構成しており、筐体の下側ほぼ半分がキー配設部１ａとして確保されている。
本実施形態では、ねじ締めボス１１を、このキー配設部１ａの外に設けるようにしてあり、これによって、キー配設部１ａを広く確保することができ、また、ねじ締めボス１１によってキーレイアウトが制限されることなく、携帯電話機等のデザインの自由度を向上させるようにしてある。
【００２１】
筐体下部側のねじ締めボス１２とねじ孔２２は、図１に示すように、ねじ孔２２に取り付けられる締結用のねじ６が、印刷配線基板３のねじ孔３２を貫通しつつねじ締めボス１２に螺合するようになっている。
ここで、リアカバー２のねじ孔２２は、図１に示すように、バッテリ収納部２ａに位置しており、バッテリ５を収納することによって、ねじ孔２２及びねじ６がバッテリ５に覆われて外部に露出しないようになっている。
【００２２】
筐体上部側に配設される係合爪１３と係合部２３は、互いに係脱自在に係合するフック手段となっている。
この係合爪１３と係合部２３とは、図１に示すように、フロントケース１及びリアカバー２の筐体内側において係合するように形成してあり、フロントケース１とリアカバー２を嵌合，締結した状態では、これら係合爪１３及び係合部２３は筐体外部に露出することなく、筐体内に隠れるようになっている。
【００２３】
なお、フロントケース１のねじ締めボス１１，１２は、それぞれケース内面から突設されており、これらねじ締めボス１１，１２が印刷配線基板３のねじ孔３１，３２周辺に当接することにより、印刷配線基板３を支持するスペーサとして機能するようになっている。
以上の構成により、フロントケース１とリアカバー２とは、間に印刷配線基板３を挟持した状態で、脱落不能に嵌合，締結されることになる。
そして、このフロントケース１及びリアカバー２の筐体ほぼ中央部に配設されるねじ締めボス１１と嵌合孔２１が、印刷配線基板３上に備えられるシールドカバー４と締結，嵌合するようになっている。
【００２４】
シールドカバー４は、印刷配線基板３の筐体背面側の板面上に配設される遮蔽手段であり、図１に示すように、フロントケース１のねじ締めボス１１に対応するねじ止め部４１と、リアカバー２の嵌合孔２１に対応する嵌合爪４２を備えている。
また、このシールドカバー４には、図１に示すように、係合爪４３が設けてあり、印刷配線基板３の長手方向両縁に設けられた凹部３３に係合できるようになっている。
【００２５】
シールドカバー４のねじ止め部４１は、締結用のねじ６を取り付け可能な孔となっており、このねじ止め部４１に取り付けられたねじ６が、印刷配線基板３のねじ孔３１を貫通しつつフロントケース１のねじ締めボス１１に螺合できるようになっている。これにより、シールドカバー４は、印刷配線基板３の板面上にねじ止めされることになる。
このように、本実施形態では、シールドカバー４が印刷配線基板３上にねじ止めにより固定されるようになっているので、印刷配線基板３に対し安定したシールド性及び電気特性を得ることが可能となる。
【００２６】
シールドカバー４の嵌合爪４２は、リアカバー２の嵌合孔２１に脱落不能に嵌合する爪状部材で、シールドカバー４のねじ止め部４１と干渉しない位置に、リアカバー２側に向かって突設されている。
この嵌合爪４２は、図２に示すように、嵌合状態で嵌合孔２１の周縁に係止可能な鉤状に形成してある。
そして、本実施形態では、この嵌合爪４２を復帰弾性力を有する部材で形成してある。
これにより、嵌合爪４２は、復帰弾性力をもって嵌脱自在にリアカバー２の嵌合孔２１に嵌合することができる。
【００２７】
この嵌合爪４２が嵌合するリアカバー２の嵌合孔２１は、嵌合爪４２が嵌合しつつ、その先端部がリアカバー外部に突出する孔状に形成してある。
そして、リアカバー２に着脱可能に取り付けられるバッテリ５に、嵌合孔２１から突出した嵌合爪４２に当接する突起部５１を備えるようにしてある。
ここで、本実施形態のバッテリ５は、上述したように、バッテリ収納部２ａに収納されるバッテリ本体５ａと、バッテリ収納部２ａを覆うカバー５ｂとで構成してあるので、この嵌合爪４２に当接する突起部５１は、図２に示すように、バッテリ収納部２ａ内に収納されるバッテリ本体５ａの端部に突設するようにしてある。
【００２８】
このような構成により、図２に示すように、リアカバー２側に嵌合した嵌合爪４２は、バッテリ５がリアカバー２に収納されると、バッテリ５の突起部５１が当接することによって、鉤部の係止方向に押圧，付勢されることになる（図２参照）。
すなわち、バッテリ５が取り付けられた状態では、突起部５１が嵌合爪１０を押圧，支持した状態となり、図２（ｂ）に示す矢印方向への回転変形を規制するようになる。
これにより、シールドカバー４は高い締結力でリアカバー２とフロントケース１を締結することになる。
【００２９】
次に、以上のような構成からなる本実施形態にかかる筐体嵌合構造の組立手順について説明する。
まず、シールドカバー４の係合爪４３を印刷配線基板３の凹部３３に位置合わせしつつ係合させて取り付ける。
その後、この印刷配線基板３とシールドカバー４のユニットをフロントケース１上に位置決め，搭載し、シールドカバー４のねじ止め部４１及び印刷配線基板３のねじ孔３１を介して、ねじ６を筐体中央部のねじ締めボス１１に螺合させ、締め付けて固定する。
【００３０】
次いで、この印刷配線基板３を取り付けたフロントケース１にリアカバー２を位置合わせしつつ嵌め込むと、リアカバー２の嵌合孔２１にシールドカバー４の嵌合爪４２が復帰弾性力をもって嵌合する。
また、これと同時に、リアカバー２の係合部２３がフロントケース１の係合爪４に係合する。
【００３１】
その後、リアカバー２の筐体下部側のねじ孔２２にねじ６を取り付け締め付ける。これにより、フロントケース１とリアカバー２が締結される。
この状態で、バッテリ５のバッテリ本体５ａをバッテリ収納部２ａに収納する。
このとき、図２に示すように、バッテリ本体５ａの突起部５１が嵌合孔２１の上方から嵌合爪４２に当接，押圧するように収納する。
そして、最後に、カバー５ｂをリアカバー２に取り付ける。
これにより、組立作業が完了する。
【００３２】
以上のように、本実施形態にかかる筐体嵌合構造によれば、フロントケース１とリアカバー２をシールドカバー４を介して締結することにより、ねじ締めボス１１を、フロントケース１のキー配設部１ａの範囲外に設けることができる。
これにより、フロントケース１内のキー配設部１ａを広く確保することができ、ねじ締めボス１１の存在によってキーレイアウトが制限されることもなく、携帯電話機等のデザインの自由度を向上させることが可能となる。
【００３３】
また、フロントケース１とリアカバー２を締結するシールドカバー４は、リアカバー２側に嵌合する嵌合爪４２が、バッテリ５の突起部５１が当接することによって押圧，付勢されるので、バッテリ５が取り付けられた状態では、弾性変形等が規制されることになる。
これにより、高い締結力をもってシールドカバー４によるフロントカバー１とリアカバー２の締結を実現することができる。
さらに、本実施形態によれば、シールドカバー４が印刷配線基板３の板面上にねじ止め固定されるので、印刷配線基板３に対し安定したシールド性及び電気特性を得ることができる。
【００３４】
［第二実施形態］
次に、本発明の携帯電話機の第二実施形態について、図３及び図４を参照しつつ説明する。
図３は、本発明の第二実施形態にかかる筐体嵌合構造を示す分解斜視図であり、図４は、本実施形態にかかる筐体嵌合構造のフロントケースとリアカバーの締結箇所を示す要部拡大断面図で、（ａ）はバッテリの取付け前の状態、（ｂ）は取付け後の状態を示している。
【００３５】
同図に示すように、本実施形態は、上述した第一実施形態の変更実施形態であり、バッテリとして、第一実施形態におけるバッテリ本体５ａとカバー５ｂとが一体的に構成されたバッテリパック５ｃを採用している。
また、図３に示すように、本実施形態のバッテリパック５ｃの採用にともない、リアカバー２には、バッテリパック５ｃのバッテリ収納部２ａへの着脱を行うロックつまみ２ｂを設けてある。
バッテリパック５ｃの構成及びリアカバー２のバッテリ収納部２ａに設けたロックつまみ２ｂ以外は、上述の第一実施形態の携帯電話機と同様の構成となっている。
【００３６】
以上のような構成からなる本実施形態の筐体嵌合構造においても、上述した第一実施形態の場合と同様の効果を奏することができる。
すなわち、本実施形態の筐体嵌合構造によっても、キー配設部１ａを広く確保しつつ、デザインの自由度を向上させるとともに、安定したシールド性及び電気特性を維持し、かつ、高い締結力によるフロントカバー１とリアカバー２の締結を実現することができる。
【００３７】
なお、本発明の携帯電話機は、上述した第一，第二の実施形態にのみ限定されるものではなく、本発明の要旨の範囲で種々の変更実施が可能であることは言うまでもない。
【００３８】
【発明の効果】
以上説明したように、本発明の筐体嵌合構造によれば、筐体を構成するフロントケースとリアカバーを、筐体内に配設されるシールドカバーを介して脱落不能に締結することにより、ねじ等の締結手段を筐体表面に露出させることなく、筐体に配設されるキーを広く、かつ、自由なレイアウトで確保しつつ、フロントケースとリアカバーとを堅固に締結し、シールドカバーのシールド性，電気特性も向上させることができる。
【図面の簡単な説明】
【図１】本発明の第一実施形態にかかる筐体嵌合構造を示す分解斜視図である。
【図２】本発明の第一実施形態にかかる筐体嵌合構造のフロントケースとリアカバーの締結箇所を示す要部拡大断面図で、（ａ）はバッテリの取付け前の状態、（ｂ）は取付け後の状態を示している。
【図３】本発明の第二実施形態にかかる筐体嵌合構造を示す分解斜視図である。
【図４】本発明の第二実施形態にかかる筐体嵌合構造のフロントケースとリアカバーの締結箇所を示す要部拡大断面図で、（ａ）はバッテリの取付け前の状態、（ｂ）は取付け後の状態を示している。
【図５】従来の筐体嵌合構造を示す分解斜視図である。
【図６】従来の他の筐体嵌合構造を示す分解斜視図である。
【符号の説明】
１  フロントケース
１ａ  キー配設部
２  リアカバー
２ａ  バッテリ収納部
３  印刷配線基板
４  シールドカバー
５  バッテリ
６  ねじ
１１  ねじ締めボス
２１  嵌合孔
４１  ねじ止め部
４２  嵌合爪
【図１】
0003735514.tif 000002
【図２】
0003735514.tif 000003
【図３】
0003735514.tif 000004
【図４】
0003735514.tif 000005
【図５】
0003735514.tif 000006
【図６】
0003735514.tif 000007